(57)【特許請求の範囲】
【請求項１】
複数のパイプが接続される継手軸を有する継手本体と、
短尺棒状に形成され、一端側に前記パイプが接続される回動部材と、
を有し、
前記回動部材の他端側は前記継手本体とともに、平板状部が二股状部に挟み込まれて前記パイプが屈折可能とされる屈折部が形成され、
前記屈折部の外周には、内周面に係合突起が設けられる筒状のカバー部材が設けられ、
前記カバー部材は、前記屈折部に設けられるガイド溝と前記係合突起が係合して軸方向前後移動自在にガイドされるとともに、前進端位置では周壁が前記平板状部又は前記二股状部と当接することにより前記屈折部の屈折を規制し、後退端位置では前記周壁が前記平板状部又は前記二股状部と当接せずに前記屈折部の屈折を解除することを特徴とするジャングルジム用継手。
【請求項２】
前記ガイド溝は、前記カバー部材の前進端位置において軸心周方向の一方向側に前記カバー部材を回動自在にガイドする一方向ガイド溝と、前記カバー部材の後退端位置において軸心周方向の他方向側に前記カバー部材を回動自在にガイドする他方向ガイド溝とを備えることを特徴とする請求項１に記載のジャングルジム用継手。
【請求項３】
前記一方向ガイド溝及び前記他方向ガイド溝は、前記カバー部材の前記係合突起が乗越え可能に形成される乗越え突起部を備えることを特徴とする請求項２に記載のジャングルジム用継手。
【請求項４】
前記平板状部は前記継手本体に形成され、前記二股状部は前記回動部材に形成されることを特徴とする請求項１乃至請求項３の何れか記載のジャングルジム用継手。
【請求項５】
前記平板状部の突端部は、平面視凸円弧状に形成されるとともに前記突端部から突出される回動規制突起が設けられ、
前記平板状部の前記突端部と対向する前記二股状部の二股間における面は、前記平板状部の前記突端部に倣って平面視凹円弧状に形成されるとともに前記回動規制突起に当接される当接部が設けられることを特徴とする請求項４に記載のジャングルジム用継手。
【請求項６】
請求項１乃至請求項５の何れか記載のジャングルジム用継手を備えるジャングルジム部と、前記ジャングルジム部と隣接して接続されるブランコ部と、を有し、
前記ブランコ部は、設置面における２箇所の前記ジャングルジム用継手とそれぞれ接続パイプを介して接続される２本のブランコ支持台パイプと、各前記ブランコ支持台パイプと接続支持部材を介して接続して上方に向けて傾斜して延在する２本のブランコ縦支持パイプと、２本の前記ブランコ縦支持パイプと上方の端部で接続する交差部と前記ジャングルジム部とで両端が着脱自在に支持され横架されるブランコ横支持パイプと、前記ブランコ横支持パイプに搖動自在に設けられるブランコと、を備え、
前記接続支持部材は、前記ブランコ縦支持パイプを支持する支持部と、前記支持部の下端に固定されて前記ブランコ支持台パイプの外周に形成される摺動筒部とを備え、
前記摺動筒部は、前記ジャングルジム部と反対側の端部外周にねじ部が形成され、
前記ブランコ支持台パイプは、前記ジャングルジム部と反対側の端部に前記ねじ部と螺合するねじ部材が設けられることを特徴とするジャングルジム。
【請求項７】
前記ブランコ支持台パイプにおける前記ジャングルジム部側の端部には雄ねじ部が形成され、
前記接続パイプと前記ブランコ支持台パイプは屈折可能に形成されるブランコ支持台屈折部を介して接続され、
前記ブランコ支持台屈折部の外周には、外径を前記ブランコ支持台パイプと同径とされるとともに内径部には前記雄ねじ部と螺合される雌ねじ部を有するブランコ支持台カバー部材が設けられることを特徴とする請求項６に記載のジャングルジム。
【発明の詳細な説明】
【技術分野】
【０００１】
本発明は、幼児が屋内で遊ぶことができるジャングルジムであって、収納時には折り畳むことができるジャングルジムと、このジャングルジムに用いられるジャングルジム用継手に関する。
【背景技術】
【０００２】
従来から、幼児が屋内で遊ぶことのできるジャングルジムが提案されている。このような屋内用ジャングルジムは、複数の立方体枠が組み合わされることにより、公園等の屋外に設置されるジャングルジムと同様の遊びを屋内で行うことができるので、幼児は夢中になって遊ぶことのできる遊具とされている。
【０００３】
このような屋内用ジャングルジムは、大型に形成される傾向がある。このため、使用しない場合にはコンパクトに収納できるように、パイプが接続される継手として、パイプが屈折される屈折部を設けたものが用いられている。そして、この屈折部は、ジャングルジムを使用する場合には、パイプが不意に屈折してしまわないようにロック機構が備えられている。例えば、特許文献１における折り畳み式ジャングルジムの継手ユニットは、固定パイプ継手と回動パイプ継手の枢支連結部に進退操作自在に回動阻止用カバースリーブが設けられている。そして、パイプが接続される回動パイプ継手にロックピンを設けて、回動阻止用カバースリーブにはロックピン受け入れ孔が設けられている。
【０００４】
このジャングルジムを使用する場合には、枢支連結部に回動阻止用カバースリーブを套嵌させる。すると、回動阻止用カバースリーブと回動パイプ継手とが当接し、枢支連結部におけるパイプの屈折が阻止される。また同時に、回動パイプ継手のロックピンが回動阻止用カバースリーブのロックピン受け入れ孔に嵌まり込み、回動阻止用カバースリーブの軸心回りの回動が防止される。また、このジャングルジムを折り畳む場合には、ロックピンを押し込んでロックピンをロックピン受け入れ孔から外す。すると、回動阻止用カバースリーブはパイプに沿って回動パイプ継手から離間させることができる。
【先行技術文献】
【特許文献】
【０００５】
【特許文献１】実用新案登録第３１０２０７４号公報
【発明の概要】
【発明が解決しようとする課題】
【０００６】
上記のジャングルジム用継手においては、回動阻止用カバースリーブを枢支連結部とされるパイプの屈折部に対して進退操作してパイプの屈折（すなわちジャングルジムの折り畳み）の規制及び解除を行う。ここで、パイプの屈折の解除を行った後の回動防止用カバースリーブは、何れの部材にも係止されない。すると、ジャングルジムの収納作業等の場合に回動阻止用カバースリーブが不意に移動してしまい、再度の組立の際における屈折部の屈折規制のための回動阻止用カバースリーブの移動距離が長くなってしまうことがある。
【０００７】
本発明の目的は、ジャングルジムの収納・展開作業に要する時間を短くすることができるジャングルジム用継手及びジャングルジムを提供する。
【課題を解決するための手段】
【０００８】
本発明のジャングルジム用継手は、複数のパイプが接続される継手軸を有する継手本体と、短尺棒状に形成され、一端側に前記パイプが接続される回動部材と、を有し、前記回動部材の他端側は前記継手本体とともに、平板状部が二股状部に挟み込まれて前記パイプが屈折可能とされる屈折部が形成され、前記屈折部の外周には、内周面に係合突起が設けられる筒状のカバー部材が設けられ、前記カバー部材は、前記屈折部に設けられるガイド溝と前記係合突起が係合して軸方向前後移動自在にガイドされるとともに、前進端位置では周壁が前記平板状部又は前記二股状部と当接することにより前記屈折部の屈折を規制し、後退端位置では前記周壁が前記平板状部又は二股状部と当接せずに前記屈折部の屈折を解除する。
【０００９】
また、前記ガイド溝は、前記カバー部材の前進端位置において軸心周方向の一方向側に前記カバー部材を回動自在にガイドする一方向ガイド溝と、前記カバー部材の後退端位置において軸心周方向の他方向側に前記カバー部材を回動自在にガイドする他方向ガイド溝とを備える。
【００１０】
また、前記一方向ガイド溝及び前記他方向ガイド溝は、前記カバー部材の前記係合突起が乗越え可能に形成される乗越え突起部を備える。
【００１１】
また、前記平板状部は前記継手本体に形成され、前記二股状部は前記回動部材に形成される。
【００１２】
また、前記平板状部の突端部は、平面視凸円弧状に形成されるとともに前記突端部から突出される回動規制突起が設けられ、前記平板状部の前記突端部と対向する前記二股状部の二股間における面は、前記平板状部の前記突端部に倣って平面視凹円弧状に形成されるとともに前記回動規制突起に当接される当接部が設けられる。
【００１３】
本発明のジャングルジムは、上述のジャングルジム用継手を備えるジャングルジム部と、前記ジャングルジム部と隣接して接続されるブランコ部と、を有し、前記ブランコ部は、設置面における２箇所の前記ジャングルジム用継手とそれぞれ接続パイプを介して接続される２本のブランコ支持台パイプと、各前記ブランコ支持台パイプと接続支持部材を介して接続して上方に向けて傾斜して延在する２本のブランコ縦支持パイプと、２本の前記ブランコ縦支持パイプと上方の端部で接続する交差部と前記ジャングルジム部とで両端が着脱自在に支持され横架されるブランコ横支持パイプと、前記ブランコ横支持パイプに搖動自在に設けられるブランコと、を備え、前記接続支持部材は、前記ブランコ縦支持パイプを支持する支持部と、前記支持部の下端に固定されて前記ブランコ支持台パイプの外周に形成される摺動筒部とを備え、  前記摺動筒部は、前記ジャングルジム部と反対側の端部外周にねじ部が形成され、前記ブランコ支持台パイプは、前記ジャングルジム部と反対側の端部に前記ねじ部と螺合するねじ部材が設けられる。
【００１４】
また、前記ブランコ支持台パイプにおける前記ジャングルジム部側の端部には雄ねじ部が形成され、前記接続パイプと前記ブランコ支持台パイプは屈折可能に形成されるブランコ支持台屈折部を介して接続され、前記ブランコ支持台屈折部の外周には、外径を前記ブランコ支持台パイプと同径とされるとともに内径部には前記雄ねじ部と螺合される雌ねじ部を有するブランコ支持台カバー部材が設けられる。
【発明の効果】
【００１５】
本発明に係るジャングルジム用継手は、継手本体の継手軸及び継手本体と屈折部を介して接続される回動部材にそれぞれパイプが接続される。この屈折部は、回動部材と継手本体により、平板状部が二股状部に挟み込まれて形成される。そして、この屈折部の外周には筒状のカバー部材が設けられる。このカバー部材は、屈折部に設けられるガイド溝とカバー部材の係合突起が係合することにより、筒状本体に向かう方向を前として、前後に移動自在にガイドされる。そして、このカバー部材が前進端の位置にある場合には、屈折部の屈折を規制し、後退端の位置にある場合には屈折部の屈折を解除する。
【００１６】
これにより、屈折部の屈折の規制及び解除の操作をカバー部材の前後操作だけで行うことができるとともに、後退端でカバー部材は止まるので、ジャングルジムを折り畳んだ時にカバー部材が移動してしまうことが無い。これにより、再度の展開時には、解除時と同じ距離だけカバー部材を移動させればよい。従って、従来よりもジャングルジムの展開作業に要する時間を少なくすることができる。
【００１７】
また、ガイド溝は、一方向側にカバー部材を回動自在にガイドする一方向ガイド溝及び他方向側にカバー部材を回動自在にガイドする他方向ガイド溝を備える。これにより、カバー部材による屈折部の規制・解除の操作を、回動操作を行ってからカバー部材を前後させるようにすることができるので、誤ってカバー部材を前後に動かしてしまうことが低減される。
【００１８】
また、一方向ガイド溝及び他方向ガイド溝は、カバー部材の係合突起が乗越え可能に形成される乗越え突起部を備える。従って、使用者は、カバー部材の規制・解除操作の開始、完了を、係合突起が乗越え突起を乗り越えることによるクリック感により感知することができる。
【００１９】
また、屈折部の構成を、継手本体に平板状部を形成し、回動部材に二股状部を形成することによって、ガイド溝を回動部材の二股状部上に形成することができる。従って、簡単な構成でジャングルジム用継手を形成することができる。
【００２０】
また、回動部材と継手本体との屈折する角度範囲は、回動部材に設けられた当接部が継手本体に設けられた回動規制突起に当接することで規制されるので、例えばパイプが屈折する角度範囲を９０度としたい場合には、確実に当該屈折運動を規制することができる。
【００２１】
また、本発明に係るジャングルジムは、ジャングルジム用継手を備えるジャングルジム部と、このジャングルジム部と隣接して接続されるブランコ部とを有する。そして、ブランコ部は、２箇所のジャングルジム用継手とそれぞれ接続パイプを介して接続される２本のブランコ支持台パイプと、各ブランコ支持台パイプから接続支持部材を介して接続して上方に向けて傾斜して延在する２本のブランコ縦支持パイプと、このブランコ縦支持パイプが接続される交差部とジャングルジム部とで両端が着脱自在に支持され横架されるブランコ横支持パイプと、このブランコ横支持パイプに搖動自在に設けられるブランコとを備える。そして、接続支持部材には、ブランコ縦支持パイプを支持する支持部と、ブランコ支持台パイプの外周に形成される摺動筒部を備える。摺動筒部は、ジャングルジム部と反対側の端部外周にねじ部が形成される。ブランコ支持台パイプは、ジャングルジム部と反対側の端部に摺動筒部のねじ部と螺合するねじ部材が設けられている。
【００２２】
これにより、ねじ部材の螺合を解除して摺動筒部をブランコ支持台パイプに沿ってジャングルジム部に向けて移動させることができる。従って、ブランコ部についても、コンパクトな収納状態とすることができる。
【００２３】
また、ブランコ支持台パイプのジャングルジム部側の端部には雄ねじ部が形成される。そして、接続パイプとブランコ支持台パイプは、屈折部を介して接続される。この屈折部の外周には、外径をブランコ支持台パイプと同径とされるとともに雄ねじ部と螺合される雌ねじ部を有するブランコ支持台カバー部材が設けられる。これにより、ブランコ支持台パイプを折り畳むことができるとともに、摺動筒部を接続パイプの外周上に位置させて、ブランコ部をさらにコンパクトな収納状態とすることができる。
【図面の簡単な説明】
【００２４】
【図１】本発明の実施形態に係るジャングルジムをジャングルジム部側から見た斜視図である。
【図２】本発明の実施形態に係るジャングルジムをブランコ部側から見た斜視図である。
【図３】本発明の実施形態に係るジャングルジム用継手及び接続されるパイプを示す斜視図である。
【図４】本発明の実施形態に係るジャングルジム用継手及び接続されるパイプを示す分解斜視図である。
【図５】本発明の実施形態に係る継手本体を示す斜視図である。
【図６】本発明の実施形態に係る回動部材を示し、（ａ）は上方から見た斜視図であり、（ｂ）は下方から見た斜視図である。
【図７】本発明の実施形態に係るカバー部材を示し、（ａ）は正面図であり、（ｂ）は斜視図である。
【図８】本発明の実施形態に係るジャングルジム用継手及び接続されるパイプを示す図３のＶＩＩＩ−ＶＩＩＩ要部横断面図である。
【図９】本発明の実施形態に係る屈折部のガイド溝と係合突起の係合を示す平面模式図である。
【図１０】本発明の実施形態に係るジャングルジム用継手及び接続されるパイプを示し、カバー部材が移動した状態を示す上面図である。
【図１１】本発明の実施形態に係るジャングルジム用継手及び接続されるパイプを示し、パイプが屈折された状態を示す上面図である。
【図１２】本発明の実施形態に係るジャングルジムのジャングルジム部が折り畳まれた状態を示すジャングルジム部側から見た斜視図である。
【図１３】本発明の実施形態に係るジャングルジムのジャングルジム部が折り畳まれた状態を示すブランコ部側から見た斜視図である。
【図１４】本発明の実施形態に係るジャングルジムの図１３におけるＸＩＶ−ＸＩＶ要部断面図である。
【図１５】本発明の実施形態に係るブランコ支持台パイプ及びその周辺の部品との接続状態を示す要部斜視図である。
【図１６】本発明の実施形態に係るジャングルジムが折り畳まれた状態を示すブランコ部側から見た斜視図である。
【図１７】本発明の実施形態に係るジャングルジムの変形例を示す斜視図である。
【図１８】本発明の実施形態に係るジャングルジムの変形例を示すジャングルジムが折り畳まれた状態を示す斜視図である。
【発明を実施するための形態】
【００２５】
以下、図に基づいて本発明の実施形態を説明する。本実施形態におけるジャングルジム１０は、主に屋内に設置する遊具であり、収納時には折り畳むことができるように形成されたものである。図１及び図２は、ジャングルジム１０を展開して使用する場合の状態を示す図である。ジャングルジム１０は、ジャングルジム部２０と、ブランコ部８０が備えられる。ブランコ部８０は、ジャングルジム部２０に隣接して接続されている。そして、ジャングルジム部２０には、滑り台７２や、階段７４、ステップ板７６が設けられている。
【００２６】
ジャングルジム部２０は、ｘ軸、ｙ軸、ｚ軸の各方向にそれぞれ複数設けられるパイプ２２及び三方〜六方に分岐される複数のジャングルジム用継手３０により形成される複数の立方体枠２５を備える。ジャングルジム部２０は、３段に形成されており、最下段には３つの立方体枠２５がｙ軸方向に連続してベース枠群１００が形成されている。ベース枠群１００のｙ軸方向プラス側端部の立方体枠２５には、x軸方向に突出するようにして付加ベース枠４００としての立方体枠２５が設けられている。
【００２７】
ジャングルジム部２０の中段とされるミドル枠群２００は、ベース枠群１００における中央及びｙ軸方向プラス側端部の立方体枠２５の上側（ｚ軸方向プラス側）に、ｙ軸方向に連続する２つの立方体枠２５により形成されている。最上段に位置するトップ枠３００は、ミドル枠群２００の２つの立方体枠２５のうち、ｙ軸方向マイナス側の立方体枠２５の上側（ｚ軸方向プラス側）の一つの立方体枠２５により形成されている。
【００２８】
ジャングルジム部２０の各立方体枠２５は、立方体枠２５の辺に相当する１２本のパイプ２２と、立方体枠２５の頂部に位置するジャングルジム用継手３０により形成されている。ジャングルジム用継手３０は、接続されるパイプ２２の数に応じて、三方〜六方に分岐して形成されている。そして、ジャングルジム用継手３０におけるパイプ２２との接続部分やパイプ２２を折り曲げる屈折部の構造は同じ構造とされている。従って、以下のジャングルジム用継手３０の説明は、六方に分岐されるジャングルジム用継手３０Ａ（すなわち、ベース枠群１００と付加ベース枠４００が接続される箇所に位置する六方分岐の継手）を例として説明する。
【００２９】
なお、ジャングルジム部２０には、三方分岐のジャングルジム用継手３０は１２個、四方分岐のジャングルジム用継手３０は９個、五方分岐のジャングルジム用継手３０は８個、六方分岐のジャングルジム用継手３０は１個が備えられ、それぞれの継手軸にパイプ２２や手すり２４、接続パイプ８２が接続されている。
【００３０】
図３に示すように、ジャングルジム用継手３０Ａは、ｘ軸方向の２本のパイプ２２Ａと、ｙ軸方向及びｚ軸方向の各２本のパイプ２２Ｂが接続されている。パイプ２２Ａとパイプ２２Ｂは、同径に形成されている。パイプ２２Ａは、パイプ２２Ｂよりも短く形成されている。ジャングルジム用継手３０Ａは、ｘ軸方向のパイプ２２Ａがそれぞれ９０度の角度範囲で屈折可能とされる屈折部３１（３１Ａ，３１Ｂ）が形成されている。
【００３１】
ｘ軸方向プラス側のパイプ２２Ａが接続される側の屈折部３１Ａの外周には、略円筒形状のカバー部材３４が設けられている。カバー部材３４は、当該カバー部材３４の軸方向前後に移動自在とされている。ここで、「前」とは、ジャングルジム用継手３０Ａに向かう方向（図３におけるｘ軸方向のマイナス側方向）とし、「後」とは、ジャングルジム用継手３０Ａから離れる方向（図３におけるｘ軸方向のプラス側方向）とする。
【００３２】
図４に示すように、ジャングルジム用継手３０Ａは、継手本体３２と、継手本体３２に対してｘ軸方向で接続される回動部材３３と、継手本体３２と回動部材３３で形成される屈折部３１Ａ，３１Ｂと、屈折部３１Ａに設けられるカバー部材３４により構成されている。図５に示すように、継手本体３２は、ｙ軸方向及びｚ軸方向のプラス側及びマイナス側のそれぞれに、パイプ２２Ｂと接続される継手軸３２ａが基部３２ｂから突出されるようにして設けられている。
【００３３】
継手軸３２ａは、略円筒形状に形成されている。各継手軸３２ａの外周壁には、継手軸３２ａの軸心に沿って平行な２つの長い切欠部３２ａ１が形成されている。２つの切欠部３２ａ１の間における継手軸３２ａの外周壁には、係止突起３２ａ２が設けられている。そして、２つの切欠部３２ａ１及び係止突起３２ａ２は、１つの継手軸３２ａにおいて対向する反対側の外周面にもそれぞれ設けられている。
【００３４】
継手本体３２は、全体を樹脂材料の射出成形により形成されている。従って、切欠部３２ａ１の作用により、係止突起３２ａ２を支持する外周壁は弾性力を有する。一方、パイプ２２Ｂの両端部近傍の外周壁には、それぞれ係止突起３２ａ２と係止される係止孔２２０が周方向等間隔で４箇所に設けられている（図３及び図４参照）。なお、各パイプ２２Ａにも同様に係止孔２２０が周方向等間隔で４箇所に設けられている。
【００３５】
従って、パイプ２２Ｂを継手軸３２ａに挿入すると、係止突起３２ａ２は継手軸３２ａの径方向軸心側に向けて沈み込む。そして、係止孔２２０と係止突起３２ａ２の位置が合せられると、係止突起３２ａ２は弾発されて、係止突起３２ａ２は係止孔２２０に係止されてパイプ２２Ｂの挿入が完了される。なお、係止突起３２ａ２は、継手軸３２ａの外周面に向けて低くなるように、パイプ２２Ｂが挿入される側が傾斜して形成されている。これにより、パイプ２２Ｂの挿入が容易とされている。
【００３６】
また、対向する継手軸３２ａ同士は、円筒形状部分の内面で形成される孔が互いに貫通されて連通されている。従って、基部３２ｂの内部では、ｙ軸方向の２つの継手軸３２ａ及びｚ軸方向の２つの継手軸３２ａそれぞれの円筒形状部分の内面で形成される孔が交差している。
【００３７】
さらに、継手軸３２ａにおける基部３２ｂ側には、継手軸３２ａの円筒形状部分よりも径大に形成される円環部３２ａ３が形成されている。円環部３２ａ３の外周面は、パイプ２２Ｂが挿入されて継手軸３２ａに接続された際、パイプ２２Ｂの外周面と連続した面となるように形成されている。
【００３８】
継手本体３２は、ｘ軸方向のプラス側及びマイナス側に向けて、それぞれ平板状部３２ｃが基部３２ｂから突出して形成されている。ここで、両者の平板状部３２ｃの形状は同じである。平板状部３２ｃは、平面部をｚ軸方向に向けた略平板状に形成されている。平板状部３２ｃの平面部には、いわゆる肉盗みのための４個の凹部３２ｃ１がそれぞれ形成されている。
【００３９】
平板状部３２ｃの平面上略中心位置には、貫通孔３２ｃ２が設けられている。貫通孔３２ｃ２には、回動部材３３の貫通孔３３ｂ１（図６参照）とともにピン部材が挿通される。従って、回動部材３３は、平板状部３２ｃにより回動自在に支持される。
【００４０】
平板状部３２ｃの突端部３２ｃ３は、平面視において凸円弧状に形成されるとともに、凸円弧状の一方の終端部には、回動規制突起３２ｃ４が形成されている。回動規制突起３２ｃ４の側面は、平板状部３２ｃの側面と連続する面とされている。そして、回動規制突起３２ｃ４の突端部３２ｃ３側の面は、回動規制突起３２ｃ４の側面と平行である。なお、前述の通り、平板状部３２ｃは同じ形状とされるので、図５の手前側の回動規制突起３２ｃ４は突端部３２ｃ３におけるｘ軸方向のプラス方向側の端部に形成され、図５の後側の回動規制突起３２ｃ４は突端部３２ｃ３におけるｘ軸方向のマイナス方向側の端部に形成される。
【００４１】
次に、図６（ａ）及び（ｂ）に基づいて、回動部材３３について説明する。図６（ａ）は回動部材３３を上方から見た斜視図であり、図６（ｂ）は下方から見た斜視図である。回動部材３３は、樹脂材料により射出成形され、短尺棒状に形成されている。回動部材３３の一端側は、パイプ２２Ａが挿入され接続される円筒形状の継手軸３３ａが形成されている。継手軸３３ａには、円筒形状の外壁に２つの平行な切欠部３３ａ１及び係止突起３３ａ２が設けられている。そして、２つの切欠部３３ａ１及び係止突起３３ａ２は、円筒形状の外周壁に対向して２箇所に形成されている。この継手軸３３ａにパイプ２２Ａを挿入する際の作用は、前述の継手本体３２における継手軸３２ａ及び継手軸３２ａの切欠部３２ａ１及び係止突起３２ａ２と同様である。
【００４２】
回動部材３３の他端側は、二股状部３３ｂが形成されている。二股状部３３ｂの外周面は、縦断面円弧状に形成されている。この二股状部３３ｂの外周面は、パイプ２２Ａが接続されたときに、パイプ２２Ａの外周面と略同一面となるように形成されている。二股状部３３ｂの先端部は、平面視において凸円弧状に形成されている。従って、回動部材３３が屈折運動する際に継手本体３２の平板状部３２ｃ（図５参照）の基端部との干渉が回避されている。
【００４３】
そして、二股状部３３ｂの外周面における略中央部分には、外周面が座繰り加工された貫通孔３３ｂ１が設けられている。継手本体３２の平板状部３２ｃ（図５参照）と二股状部３３ｂとの連結は、二股状部３３ｂの間に平板状部３２ｃが挟み込まれて形成される。そして、前述の通り、貫通孔３３ｂ１と平板状部３２ｃの貫通孔３２ｃ２にピン部材が挿通されて、平板状部３２ｃに対して回動部材３３が回動自在に支持される。
【００４４】
また、二股状部３３ｂの二股の間の面３３ｂ２は、継手本体３２の平板状部３２ｃと連結した際、展開状態において平板状部３２ｃの突端部３２ｃ３と対向する。そして、この二股状部３３ｂの二股の間の面３３ｂ２は、平板状部３２ｃの突端部３２ｃ３に倣って、平面視凹円弧状に形成されている。さらに、面３３ｂ２には、図８にも示されるように、面３３ｂ２の一方側の端部から落ち込むように段状に形成される当接部３３ｂ３が設けられている（図６（ｂ）参照）。
【００４５】
二股状部３３ｂの２箇所の外面上には、それぞれ凹溝状のガイド溝３３ｃが設けられている。ガイド溝３３ｃは、貫通孔３３ｂ１と干渉しない位置に配置されている。ガイド溝３３ｃの溝は、前後ガイド溝３３ｃ１、一方向ガイド溝３３ｃ２、他方向ガイド溝３３ｃ３からなる。前後ガイド溝３３ｃ１は、回動部材３３の軸心と平行に形成される。一方向ガイド溝３３ｃ２は、前後ガイド溝３３ｃ１の前端から軸心周方向の一方側に延設される。他方向ガイド溝３３ｃ３は、前後ガイド溝３３ｃの後端から軸心周方向の他方側に延設される。そして、他方向ガイド溝３３ｃ３は、継手軸３３ａ側に向けて開放される開口部３３ｃ４が形成されている。さらに、一方向ガイド溝３３ｃ２及び他方向ガイド溝３３ｃ３には、それぞれ乗越え突起部３３ｃ５が形成されている。
【００４６】
次に、カバー部材３４を図７（ａ）及び（ｂ）に基づいて説明する。カバー部材３４は、円筒形状に形成される。カバー部材３４の内周面には、対向して二箇所に係合突起３４ａが形成されている。各係合突起３４ａは、それぞれガイド溝３３ｃと係合される。各係合突起３４ａに対応するカバー部材３４の外周面には、カバー部材３４の回動をロックするための操作方向を指し示す矢印部３４ｂが形成されている。カバー部材３４の外周面には、軸心と平行に長い突起状の滑り止め用突起３４ｃが複数形成されている。
【００４７】
継手本体３２、回動部材３３、カバー部材３４及びパイプ２２Ａ，２２Ｂの組立状態を図８の断面図に示す。図８は、パイプ２２Ａ，２２Ｂが展開されている状態を示している。パイプ２２Ａ，２２Ｂが展開されている状態においては、回動部材３３の当接部３３ｂ３と、継手本体３２における平板状部３２ｃの回動規制突起３２ｃ４は当接している。そして、屈折部３１において、貫通孔３２ｃ２（貫通孔３３ｂ１）を中心に回動される回動部材３３は、図８において時計回りに約９０度の角度範囲で回動可能とされている。
【００４８】
また、図９に模式的に示されるように、カバー部材３４の係合突起３４ａは、屈折部３１における回動部材３３のガイド溝３３ｃと係合する。すなわち、カバー部材３４は、係合突起３４ａが前後ガイド溝３３ｃ１に係合することにより、前後移動自在にガイドされる。また、カバー部材３４は、係合突起３４ａが一方向ガイド溝３３ｃ２と係合することにより軸心周方向の一方向側に回動自在にガイドされる。そして、カバー部材３４は、係合突起３４ａが他方向ガイド溝３３ｃ３と係合することにより、軸心周方向の他方向側に回動自在にガイドされる。
【００４９】
カバー部材３４により屈折部３１の屈折の規制及び解除の操作は以下のように行われる。図１〜図３に示す展開状態では、カバー部材３４の係合突起３４ａは、図９に示すように、一方向ガイド溝３３ｃ２の一方側の端部Ｐ１に位置し、カバー部材３４は前進端位置に位置されている。このとき、図８に示すように、平板状部３２ｃはカバー部材３４の内周面と当接される状態となっているので、屈折部３１の屈折は規制されている。
【００５０】
図９に戻り、屈折部３１を屈折させるためには、カバー部材３４を図３のＱ１方向（すなわち一方向ガイド溝３３ｃ２の他方側方向）に回動させて、係合突起３４ａを図９のＰ１の位置から、一方向ガイド溝３３ｃ２の他方側の端部（換言すれば、前後ガイド溝３３ｃ１の前端部）Ｐ２に移動させる。このとき、係合突起３４ａは乗越え突起部３３ｃ５を乗り越える。従って、カバー部材３４は、係合突起３４ａが一方向ガイド溝３３ｃ２の乗越え突起部３３ｃ５を乗り越えなければ回動されないので、カバー部材３４が不意に回ってしまうことが防止されている。そして使用者は、係合突起３４ａが一方向ガイド溝３３ｃ２の乗越え突起部３３ｃ５を乗り越える際のクリック感により、カバー部材３４の回動のロックが解除されたことを認識することができる。
【００５１】
次に、カバー部材３４を図３のＱ２方向（すなわち後方向）に移動させて、係合突起３４ａを図９のＰ２位置から、前後ガイド溝３３ｃ１の後端部（換言すれば、他方向ガイド溝３３ｃ３の一方側の端部）Ｐ３に移動させる。このときのカバー部材３４の状態を図１０に示す。図１０の状態においては、カバー部材３４は後退端位置に位置され、カバー部材３４の内周面と平板状部３２ｃは当接しない状態であるので、屈折部３１は屈折可能な状態とされる。屈折部３１を屈折させると、図１１に示す状態となる。
【００５２】
カバー部材３４を他方向側にさらに回動すると、係合突起３４ａが他方向ガイド溝３３ｃ３の乗越え突起部３３ｃ５を乗り越える。すると、係合突起３４ａは、開口部３３ｃ４を介してガイド溝３３ｃ（他方向ガイド溝３３ｃ３）から脱することができる。このようにして、カバー部材３４を継手本体３２から取り外すことが出来る。すなわち、カバー部材３４は、係合突起３４ａがＰ３の位置では容易に回動されない。そして、係合突起３４ａがＰ３の位置から他方向側にさらに回動された場合には、使用者は、係合突起３４ａが他方向ガイド溝３３ｃ３の乗越え突起部３３ｃ５を乗り越える際のクリック感により、カバー部材３４が継手本体３２から取り外すことが出来る状態であることを感知することができる。
【００５３】
なお、回動部材３３の継手軸３３ａにパイプ２２Ａが接続されている状態においては、カバー部材３４の係合突起３４ａが開口部３３ｃ４に位置していても、パイプ２２Ａの端部面と係合突起３４ａが当接される状態にあるので、カバー部材３４は容易に屈折部３１から取り外すことはできない。
【００５４】
ジャングルジム部２０における各ジャングルジム用継手３０の屈折部３１は、９０度の角度範囲で屈折させることができる。ここで、各ジャングルジム用継手３０の屈折部３１は、全てｘ軸方向に配置される。そして、各屈折部３１は、９０度の角度範囲で一方向に屈折可能とされている。従って、ジャングルジム部２０を折り畳む場合には、事前に滑り台７２、階段７４及びステップ板７６を取り外し、カバー部材３４を操作して屈折部３１の屈折の規制を解除することにより、図１２及び図１３に示すように折り畳むことができる。
【００５５】
なお、ジャングルジム部２０を折り畳んだ収納状態から展開状態とするには、上記の手順を逆に行えばよい。このとき、カバー部材３４の係合突起３４ａが一方向ガイド溝３３ｃ２の乗越え突起部３３ｃ５を乗り越えることで、使用者は、屈折部３１が屈折の規制状態であることを認識することができる。
【００５６】
また、カバー部材３４は、ジャングルジム部２０の屈折部３１のうち、折り方向と平行な平面（本実施形態においてはｙ−ｚ平面）における立方体枠２５に少なくとも一つ設けられていれば、折り方向に平行な平面における立方体枠２５の屈折部３１の屈折を規制することができる。しかしながら、幼児がジャングルジム部２０で遊ぶ際に、比較的大きな力が掛かるジャングルジム部２０の部分の数カ所の屈折部３１にカバー部材３４を設ければ、幼児が遊ぶ際におけるジャングルジム部２０の折り方向に掛かる力に対する剛性が高まるので好適である。
【００５７】
このようにして、カバー部材３４は、前後ガイド溝３３ｃ１と係合突起３４ａにより前後にガイドされるので、短いストロークでジャングルジム部２０の展開・収納の操作をすることができる。そして、一方向ガイド溝３３ｃ２により、ジャングルジム部２０が展開した使用状態において、カバー部材３４を回動させて、前後に動かないようにしておくことができる。
【００５８】
次に、ブランコ部８０について説明する。図１２及び図１３に示す通り、ブランコ部８０は、ジャングルジム部２０のｘ軸方向マイナス側に配置される。ブランコ部８０には、設置面における２箇所の各ジャングルジム用継手３０Ｂ，３０Ｃと、短尺に形成される接続パイプ８２を介してブランコ支持台パイプ８４が接続されている。各ブランコ支持台パイプ８４には、ｘ軸方向マイナス側の端部に接続支持部材８５が設けられている。そして、各ブランコ支持台パイプ８４からは、それぞれ接続支持部材８５を介してブランコ縦支持パイプ８６が設けられている。ブランコ縦支持パイプ８６は、上方に向けて傾斜して延在する。ブランコ縦支持パイプ８６は、各ブランコ縦支持パイプ８６の延長線が上方の交差部における交差部接続部材８７で交差する状態で接続されている。
【００５９】
一方、ジャングルジム部２０における最上段のトップ枠３００のx軸方向マイナス側の格子面内には、固定部材３１０が固定されている。そして、前述の交差部接続部材８７と固定部材３１０とにより、ブランコ横支持パイプ８８の両端が支持されて横架されている。ブランコ横支持パイプ８８は、その両端部において、交差部接続部材８７及び固定部材３１０に挿通される図示しないピン部材と係合されて、軸心回りの回転が規制される。そして、ブランコ横支持パイプ８８には、ブランコ９０がブランコ横支持パイプ８８に対して搖動自在に設けられている。
【００６０】
図１４及び図１５には、ブランコ支持台パイプ８４と、ブランコ支持台パイプ８４の周辺の部材を示す。なお、図１４及び図１５は、図１３の手前側におけるジャングルジム用継手３０Ｂと接続されるブランコ支持台パイプ８４及びこのブランコ支持台パイプ８４の周辺の部材を示しているが、図１４の後側のジャングルジム用継手３０Ｃに接続されるブランコ支持台パイプ８４及びこのブランコ支持台パイプ８４の周辺の部材も同様の構造に形成されている。
【００６１】
図１４、図１５に示すように、接続パイプ８２には、ジャングルジム用継手３０Ｂ側（換言すれば、ｘ軸方向プラス側）に、パイプ状とされる大径部８２ａが形成される。大径部８２ａのｘ軸方向マイナス側には、大径部８２ａよりも外径が小さい小径部８２ｂが形成される。大径部８２ａと小径部８２ｂは一体的に形成されている。図１４のＫ部分解斜視図に示すように、小径部８２ｂの先端には、二股状部８２ｂ１が形成されている。この二股状部８２ｂ１は、ジャングルジム用継手３０の回動部材３３における二股状部３３ｂと同様に形成されている。具体的には、貫通孔８２ｃや当接部８２ｄが形成されている。
【００６２】
そして、図１４のＫ部分解図に示すように、ブランコ支持台パイプ８４における接続パイプ８２側の端部には、接続部材８４ａが設けられている。接続部材８４ａは、平板状部８４ａ１や継手軸８４ａ２を備える。この接続部材８４ａの継手軸８４ａ２がブランコ支持台パイプ８４の端部に挿入されて、平板状部８４ａ１がブランコ支持台パイプ８４の端部から突出される。この平板状部８４ａ１は、ジャングルジム用継手３０における継手本体３２の平板状部３２ｃと同様に形成されている。具体的には、平板状部８４ａ１の平面視凸円弧状の端部には回動規制突起８４ａ３や貫通孔８４ａ４が形成されている。なお、図１３の手前側における接続部材８４ａ及び二股状部８２ｂ１と図１３の後側における接続部材８４ａ及び二股状部８２ｂ１とは、ｘ軸に対して対称に設けられている。
【００６３】
平板状部８４ａ１と二股状部８２ｂ１は、ジャングルジム用継手３０における平板状部３２ｃ及び二股状部３３ｂと同様に、貫通孔８２ｃ，８４ａ４に図示しないピン部材が挿通されて回動自在に連結され、屈折可能なブランコ支持台屈折部８３が形成される。そして、回動規制突起８４ａ３及び当接部８２ｄにより、外向きの回動が規制されている。
【００６４】
すなわち、２本のブランコ支持台パイプ８４は、図１、図２、図１２、図１３に示すように、接続パイプ８２と連続した直線状の状態である場合には互いに離反する向きの回動は規制され、互いに向かい合う向きの回動は可能とされている。
【００６５】
さらに、図１４及び図１５に示すように、ブランコ支持台パイプ８４の平板状部８４ａ１の基端部には、雄ねじとされるねじ部８４ｂが形成されている。そして、ブランコ支持台屈折部８３の外周には、ブランコ支持台カバー部材８１が設けられている。このブランコ支持台カバー部材８１は、内周に、ねじ部８４ｂと螺合される雌ねじとされるねじ部８１ａ（図１４のＫ部分解斜視図参照）が形成されている。そして、ブランコ支持台カバー部材８１の外径は、接続パイプ８２やブランコ支持台パイプ８４の外径と略同一に形成されている。
【００６６】
図１４に示すように、ブランコ支持台カバー部材８１のねじ部８１ａがねじ部８４ｂと螺合している場合は、平板状部８４ａ１がブランコ支持台カバー部材８１の内周面と当接される状態となるため、ブランコ支持台屈折部８３の屈折は規制される。一方、図１５に示すように、ブランコ支持台カバー部材８１のねじ部８１ａとねじ部８４ｂとの螺合を解除して、ブランコ支持台カバー部材８１のｘ軸方向のプラス側の端部を、小径部８２ｂと大径部８２ａとで形成される段部に当接させた状態では、平板状部８４ａ１はブランコ支持台カバー部材８１の内周面と当接せず、回動規制が解除された状態となる。
【００６７】
また、各ブランコ支持台パイプ８４のｘ軸方向マイナス側の端部には、それぞれ接続支持部材８５が設けられている。各接続支持部材８５は、各ブランコ縦支持パイプ８６を支持する略円筒状の支持部８５ａが形成されている。ブランコ縦支持パイプ８６は、その端部近傍が支持部８５ａ内に挿入されて支持されている。
【００６８】
そして、支持部８５ａの下端には、摺動筒部８５ｂが形成されている。支持部８５ａの外周は、多数のリブ８５ａ１により摺動筒部８５ｂの外周と接続されている。これにより、剛性高くブランコ縦支持パイプ８６が支持部８５ａにより支持される。摺動筒部８５ｂは、ブランコ支持台パイプ８４の外周に筒状に形成されている。摺動筒部８５ｂのｘ軸方向マイナス側の端部には、雄ねじとされるねじ部８５ｂ１が形成されている。
【００６９】
このねじ部８５ｂ１には、略円筒状に形成されて内周面に雌ねじ部が形成されるねじ部材６２が螺合されている。一方、ブランコ支持台パイプ８４のｘ軸マイナス側の端部には、押え部材６３が固定されている。押え部材６３は、ブランコ支持台パイプ８４に挿入される円筒状の挿入部６３ａと、フランジ状に形成される押え板部６３ｂからなる。そして、ねじ部材６２の内周面に突出して形成される円環状の円環板部６２ａは、摺動筒部８５ｂの端部と押え部材６３の押え板部６３ｂの外周縁近傍とで挟まれて位置している。これにより、ねじ部材６２は、ねじ部材６２の軸心回りに回転自在とされて、軸心方向への移動は規制される。
【００７０】
ブランコ部８０の収納のための操作は以下のように行われる。まず、予めブランコ９０及びブランコ横支持パイプ８８を取り外しておく。そして、２箇所のねじ部材６２をそれぞれ回して各摺動筒部８５ｂのねじ部８５ｂ１との螺合を解除する。すると、摺動筒部８５ｂはブランコ支持台パイプ８４に沿ってｘ軸方向に移動自在となる。次に、図１５で示すように、ブランコ支持台カバー部材８１とねじ部８４ｂの螺合を解除する。そして、ブランコ支持台カバー部材８１が接続パイプ８２の大径部８２ａと小径部８２ｂで形成される段部に当接する位置までブランコ支持台カバー部材８１を移動させる。その後、接続支持部材８５を接続パイプ８２の位置まで移動させて、２本のブランコ支持台パイプ８４が向かい合う向きに屈折させると、図１６に示す収納状態とすることができる。
【００７１】
このように、ｘ軸方向に延在されるブランコ支持台パイプ８４を折り畳んで、ブランコ部８０を簡単に収納状態とすることができる。従って、ジャングルジム部２０及びブランコ部８０を備えるジャングルジム１０は、簡単に収納状態とすることができる。
【００７２】
次に、上記のジャングルジム１０の変形例として、ジャングルジム用継手３０を用いたジャングルジム１０Ａを図１７及び図１８に示す。ジャングルジム１０Ａは、ブランコ部８０を設けず、ジャングルジム部２０Ａに滑り台７２や階段７４、ステップ板７６を備えてなる。ジャングルジム部２０Ａは、２段に形成されており、最下段のベース枠群１００Ａと、中央上段のトップ枠３００Ａからなる。ベース枠群１００Ａの中央の立方体枠２５の設置面におけるジャングルジム用継手３０には、直線部と凸円弧状部からなる枠状体２３が接続されている。これにより、ジャングルジム１０Ａは、さらに安定して設置面に設置させることができる。
【００７３】
ジャングルジム１０Ａのジャングルジム部２０Ａは、３方分岐のジャングルジム用継手３０が１０個、４方分岐のジャングルジム用継手３０が２個、５方分岐のジャングルジム用継手３０が８個のジャングルジム用継手３０と複数のパイプ２２により、ベース枠群１００Ａに３つの立方体枠２５が形成され、上段のトップ枠に１つの立方体枠２５が形成されている。
【００７４】
このように形成されるジャングルジム１０Ａを収納状態とするには、滑り台７２や階段７４及びステップ板７６や枠状体２３を取り外して、複数のジャングルジム用継手３０の屈折部３１の一部に設けられているカバー部材３４について、屈折部３１における屈折の規制を解除する操作を行う。そして、屈折部３１を屈折させると、図１８の状態とすることができる。
【００７５】
以上、本発明の実施形態を説明したが、本発明は本実施形態によって限定されることはなく、種々の形態で実施することができる。例えば、回動部材３３の二股状部３３ｂと継手本体３２の平板状部３２ｃの関係を逆にして、回動部材３３に平板状部を設けて継手本体３２に二股状部を設けてもよい。
【００７６】
また、本実施形態においては、回動部材３３の継手軸３３ａにパイプ２２が直接的に接続されているが、スペーサ等を介して間接的に接続するようにしてもよい。また、屈折部３１は、本実施形態においては９０度の角度範囲で回動自在に形成されるが、この角度範囲は任意に設定することができる。
【００７７】
さらに、屈折部３１が屈折される方向は、本実施形態においては、ｘ−ｙ平面に平行に屈折されるように形成したが、ｘ−ｚ平面に平行に屈折して、ジャングルジム部２０全体を上下方向に折り畳めるようにしてもよい。
【符号の説明】
【００７８】
１０      ジャングルジム                  １０Ａ    ジャングルジム
２０      ジャングルジム部                ２０Ａ    ジャングルジム部
２２      パイプ                          ２２Ａ    パイプ
２２Ｂ    パイプ                          ２３      枠状体
２５      立方体枠                        ３０      ジャングルジム用継手
３０Ａ    ジャングルジム用継手            ３０Ｂ    ジャングルジム用継手
３０Ｃ    ジャングルジム用継手            ３１      屈折部
３１Ａ    屈折部                          ３１Ｂ    屈折部
３２      継手本体                        ３２ａ    継手軸
３２ａ１  切欠部                          ３２ａ２  係止突起
３２ａ３  円環部                          ３２ｂ    基部
３２ｃ    平板状部                        ３２ｃ１  凹部
３２ｃ２  貫通孔                          ３２ｃ３  突端部
３２ｃ４  回動規制突起                    ３３      回動部材
３３ａ    継手軸                          ３３ａ１  切欠部
３３ａ２  係止突起                        ３３ｂ    二股状部
３３ｂ１  貫通孔                          ３３ｂ２  面
３３ｂ３  当接部
３３ｃ    ガイド溝                        ３３ｃ１  ガイド溝
３３ｃ２  一方向ガイド溝                  ３３ｃ３  他方向ガイド溝
３３ｃ４  開口部                          ３３ｃ５  乗越え突起部
３４      カバー部材                      ３４ａ    係合突起
３４ｂ    矢印部                          ３４ｃ    滑り止め用突起
６２      ねじ部材                        ６２ａ    円環板部
６３      押え部材                        ６３ａ    挿入部
６３ｂ    押え板部                        ７２      滑り台
７４      階段                            ７６      ステップ板
８０      ブランコ部                      ８１      ブランコ支持台カバー部材
８１ａ    ねじ部                          ８２      接続パイプ
８２ａ    大径部                          ８２ｂ    小径部
８２ｂ１  二股状部                        ８２ｃ    貫通孔
８２ｄ    当接部                          ８３      ブランコ支持台屈折部
８４      ブランコ支持台パイプ            ８４ａ    接続部材
８４ａ１  平板状部                        ８４ａ２  継手軸
８４ａ３  回動規制突起                    ８４ａ４  貫通孔
８４ｂ    ねじ部                          ８５      接続支持部材
８５ａ    支持部                          ８５ａ１  リブ
８５ｂ    摺動筒部                        ８５ｂ１  ねじ部
８６      ブランコ縦支持パイプ            ８７      交差部接続部材
８８      ブランコ横支持パイプ            ９０      ブランコ
１００    ベース枠群                      １００Ａ  ベース枠群
２００    ミドル枠群                      ２２０    係止孔
３００    トップ枠                        ３００Ａ  トップ枠
３１０    固定部材                        ４００    付加ベース枠
【図１】
0006538489.tif 000002
【図２】
0006538489.tif 000003
【図３】
0006538489.tif 000004
【図４】
0006538489.tif 000005
【図５】
0006538489.tif 000006
【図６】
0006538489.tif 000007
【図７】
0006538489.tif 000008
【図８】
0006538489.tif 000009
【図９】
0006538489.tif 000010
【図１０】
0006538489.tif 000011
【図１１】
0006538489.tif 000012
【図１２】
0006538489.tif 000013
【図１３】
0006538489.tif 000014
【図１４】
0006538489.tif 000015
【図１５】
0006538489.tif 000016
【図１６】
0006538489.tif 000017
【図１７】
0006538489.tif 000018
【図１８】
0006538489.tif 000019